(57)【特許請求の範囲】
【請求項１】
フェムトＡＢＳ（Ａｄｖａｎｃｅｄ  Ｂａｓｅ  Ｓｔａｔｉｏｎ）のための通信方法であって、マクロＡＢＳ、一つ以上のフェムトＡＢＳ及び一つ以上のＡＭＳ（Ａｄｖａｎｃｅｄ  Ｍｏｂｉｌｅ  Ｓｔａｔｉｏｎ）を含む移動通信システムにおいて特定フェムトＡＢＳが通信を行い、
前記通信方法は、
前記特定フェムトＡＢＳがＯＳＧ（Ｏｐｅｎ  Ｓｕｂｓｃｒｉｂｅｒ  Ｇｒｏｕｐ）フェムトＡＢＳ、第１タイプのＣＳＧ（Ｃｌｏｓｅｄ  Ｓｕｂｓｃｒｉｂｅｒ  Ｇｒｏｕｐ）フェムトＡＢＳ及び第２タイプのＣＳＧフェムトＡＢＳのうち前記第１タイプのＣＳＧフェムトＡＢＳとして動作していることを示すセルタイプ情報を放送することであって、前記第１タイプのＣＳＧフェムトＡＢＳ及び前記第２タイプのＣＳＧフェムトＡＢＳは、前記特定フェムトＡＢＳへの非メンバーＡＭＳの接続可能性により分類される、ことと、
特定条件下で前記特定フェムトＡＢＳのタイプを前記第１タイプのＣＳＧフェムトＡＢＳから前記第２タイプのＣＳＧフェムトＡＢＳへと変換することと、
前記特定フェムトＡＢＳのタイプ変更を示す信号を前記マクロＡＢＳ及び前記一つ以上のＡＭＳのうちの少なくとも一つに伝送することと
を含み、
前記特定条件は、
前記特定フェムトＡＢＳによる干渉を受ける非メンバーＡＭＳからの干渉調整を要請するための指示子を含むレンジング要請メッセージの受信と、
前記マクロＡＢＳからの、前記特定フェムトＡＢＳによる干渉を受ける非メンバーＡＭＳに対する干渉調整情報またはタイプ変更要請情報の受信と
を含む、通信方法。
【請求項２】
前記第１タイプのＣＳＧフェムトＡＢＳは、ＣＳＧ閉鎖フェムトＡＢＳであり、
前記第２タイプのＣＳＧフェムトＡＢＳは、ＣＳＧ開放フェムトＡＢＳである、請求項１に記載の通信方法。
【請求項３】
前記タイプ変更を示す信号を伝送するステップは、前記特定フェムトＡＢＳが第２タイプのＣＳＧ閉鎖フェムトＡＢＳとして動作していることを示す放送セルタイプ情報を伝送することを含み、前記セルタイプ情報は、Ａ−プリアンブル（ａｄｖａｎｃｅｄ  ｐｒｅａｍｂｌｅ）を含む、請求項１に記載の通信方法。
【請求項４】
前記特定フェムトＡＢＳのタイプを変換するための干渉調整プロセスに協力するようにネットワークエンティティと通信することをさらに含む、請求項１に記載の通信方法。
【請求項５】
特定非メンバーＡＭＳとハンドオーバー手順を行うことをさらに含む、請求項１に記載の通信方法。
【請求項６】
マクロＡＢＳ（Ａｄｖａｎｃｅｄ  Ｂａｓｅ  Ｓｔａｔｉｏｎ）、一つ以上のフェムトＡＢＳ及び一つ以上のＡＭＳ（Ａｄｖａｎｃｅｄ  Ｍｏｂｉｌｅ  Ｓｔａｔｉｏｎ）を含む移動通信システムにおいて通信を行う特定フェムトＡＢＳ装置であって、
前記フェムトＡＢＳ装置は、
前記特定フェムトＡＢＳがＯＳＧ（Ｏｐｅｎ  Ｓｕｂｓｃｒｉｂｅｒ  Ｇｒｏｕｐ）フェムトＡＢＳ、第１タイプのＣＳＧ（Ｃｌｏｓｅｄ  Ｓｕｂｓｃｒｉｂｅｒ  Ｇｒｏｕｐ）フェムトＡＢＳ及び第２タイプのＣＳＧフェムトＡＢＳのうち前記第１タイプのＣＳＧフェムトＡＢＳとして動作していることを示すセルタイプ情報を放送するように構成された伝送モジュールであって、前記第１タイプのＣＳＧフェムトＡＢＳ及び前記第２タイプのＣＳＧフェムトＡＢＳは、前記特定フェムトＡＢＳへの非メンバーＡＭＳの接続可能性により分類される、伝送モジュールと、
特定条件下で前記特定フェムトＡＢＳのタイプを前記第１タイプのＣＳＧフェムトＡＢＳから前記第２タイプのＣＳＧフェムトＡＢＳへと変換することと、前記特定フェムトＡＢＳのタイプ変更を示す信号が前記伝送モジュールを介して前記マクロＡＢＳ及び前記一つ以上のＡＭＳのうちの少なくとも一つに伝送されるように制御することとを実行するように構成されたプロセッサと
を備え、
前記特定条件は、
前記特定フェムトＡＢＳによる干渉を受ける非メンバーＡＭＳからの干渉調整を要請するための指示子を含むレンジング要請メッセージの受信と、
前記マクロＡＢＳからの、前記特定フェムトＡＢＳによる干渉を受ける非メンバーＡＭＳに対する干渉調整情報またはタイプ変更要請情報の受信と
を含む、フェムトＡＢＳ装置。
【請求項７】
前記第１タイプのＣＳＧフェムトＡＢＳは、ＣＳＧ閉鎖フェムトＡＢＳであり、
前記第２タイプのＣＳＧフェムトＡＢＳは、ＣＳＧ開放フェムトＡＢＳであり、
前記セルタイプ情報は、Ａ−プリアンブル（ａｄｖａｎｃｅｄ  ｐｒｅａｍｂｌｅ）を含む、請求項６に記載のフェムトＡＢＳ装置。
【請求項８】
前記マクロＡＢＳから、前記特定フェムトＡＢＳによる干渉を受ける特定非メンバーＡＭＳに関する干渉調整情報またはモード切替要請情報を受信する受信モジュールをさらに含み、
前記受信モジュールが前記干渉調整情報または前記モード切替要請情報を受信した場合、前記プロセッサは、前記特定条件下でタイプを前記第２タイプに変更するための制御動作と、前記特定非メンバーＡＭＳとハンドオーバー手順を行うための制御動作とを実行する、請求項７に記載のフェムトＡＢＳ装置。
【請求項９】
サービングマクロＡＢＳ（Ａｄｖａｎｃｅｄ  Ｂａｓｅ  Ｓｔａｔｉｏｎ）、一つ以上のフェムトＡＢＳ及び一つ以上のＡＭＳを含む移動通信システムにおいて通信を行う特定ＡＭＳ装置であって、
前記特定ＡＭＳ装置は、
第１タイプとして動作していて前記特定ＡＭＳと特定レベルよりも大きい干渉を引き起こすＣＳＧ（Ｃｌｏｓｅｄ  Ｓｕｂｓｃｒｉｂｅｒ  Ｇｒｏｕｐ）フェムトＡＢＳをスキャンする受信モジュールと、
前記サービングマクロＡＢＳにスキャンの結果を含むスキャン報告メッセージを伝送する伝送モジュールと、
前記ＣＳＧフェムトＡＢＳが第２タイプに変換されたか否かを決定することと、前記ＣＳＧフェムトＡＢＳが第２タイプに変換された場合、前記ＣＳＧフェムトＡＢＳとハンドオーバー手順を行うこととを実行するプロセッサと
を備える、ＡＭＳ装置。
【請求項１０】
前記特定ＡＭＳは、前記ＣＳＧフェムトＡＢＳに対する非ＣＳＧメンバーであり、
前記第１タイプとして動作するＣＳＧフェムトＡＢＳは、ＣＳＧ閉鎖フェムトＡＢＳであり、
前記第２タイプとして動作するＣＳＧフェムトＡＢＳは、ＣＳＧ開放フェムトＡＢＳである、請求項９に記載のＡＭＳ装置。
【請求項１１】
前記プロセッサは、前記受信モジュールを介して前記ＣＳＧフェムトＡＢＳから受信されたＡ−プリアンブル（Ａｄｖａｎｃｅｄ  ｐｒｅａｍｂｌｅ）を用いて前記ＣＳＧフェムトＡＢＳのタイプを決定する、請求項１０に記載のＡＭＳ装置。
【請求項１２】
ＡＭＳ（Ａｄｖａｎｃｅｄ  Ｍｏｂｉｌｅ  Ｓｔａｔｉｏｎ）のための通信方法であって、マクロＡＢＳ（Ａｄｖａｎｃｅｄ  Ｂａｓｅ  Ｓｔａｔｉｏｎ）、一つ以上のフェムトＡＢＳ及び一つ以上のＡＭＳを含む移動通信システムにおいて特定ＡＭＳが通信を行い、
前記通信方法は、
第１タイプとして動作していて前記特定ＡＭＳと特定レベルよりも大きい干渉を引き起こすＣＳＧ（Ｃｌｏｓｅｄ  Ｓｕｂｓｃｒｉｂｅｒ  Ｇｒｏｕｐ）フェムトＡＢＳに干渉調整を要請するための指示子を含むレンジング要請メッセージを伝送することと、
前記ＣＳＧフェムトＡＢＳが第２タイプに変換されたか否かを決定することと、
前記ＣＳＧフェムトＡＢＳが第２タイプに変換された場合、前記ＣＳＧフェムトＡＢＳとハンドオーバー手順を行うことと
を含む、通信方法。
【請求項１３】
前記特定ＡＭＳは、前記ＣＳＧフェムトＡＢＳに対する非ＣＳＧメンバーであり、前記一つ以上のＡＢＳとの接続を有しておらず、
前記第１タイプとして動作するＣＳＧフェムトＡＢＳは、ＣＳＧ閉鎖フェムトＡＢＳであり、
前記第２タイプとして動作するＣＳＧフェムトＡＢＳは、ＣＳＧ開放フェムトＡＢＳである、請求項１２に記載の通信方法。
【請求項１４】
前記決定するステップは、前記ＣＳＧフェムトＡＢＳから前記ＣＳＧフェムトＡＢＳのタイプを示すＡ−プリアンブル（Ａｄｖａｎｃｅｄ  ｐｒｅａｍｂｌｅ）を受信することを含む、請求項１２に記載の通信方法。
【請求項１５】
マクロＡＢＳ（Ａｄｖａｎｃｅｄ  Ｂａｓｅ  Ｓｔａｔｉｏｎ）、一つ以上のフェムトＡＢＳ及び一つ以上のＡＭＳを含む移動通信システムにおいて通信を行う特定ＡＭＳ装置であって、
前記特定ＡＭＳ装置は、
第１タイプとして動作していて前記特定ＡＭＳと特定レベルよりも大きい干渉を引き起こすＣＳＧ（Ｃｌｏｓｅｄ  Ｓｕｂｓｃｒｉｂｅｒ  Ｇｒｏｕｐ）フェムトＡＢＳに干渉調整を要請するための指示子を含むレンジング要請メッセージを伝送する伝送モジュールと、
前記ＣＳＧフェムトＡＢＳが第２タイプに変換されたか否かを決定することと、前記ＣＳＧフェムトＡＢＳが第２タイプに変換された場合、前記ＣＳＧフェムトＡＢＳとハンドオーバー手順を行うこととを実行するプロセッサと
を含む、ＡＭＳ装置。
【請求項１６】
前記特定ＡＭＳは、前記ＣＳＧフェムトＡＢＳに対する非ＣＳＧメンバーであり、前記一つ以上のＡＢＳとの接続を有しておらず、
前記第１タイプとして動作するＣＳＧフェムトＡＢＳは、ＣＳＧ閉鎖フェムトＡＢＳであり、
前記第２タイプとして動作するＣＳＧフェムトＡＢＳは、ＣＳＧ開放フェムトＡＢＳであり、
前記プロセッサは、前記受信モジュールを介して前記ＣＳＧフェムトＡＢＳから受信されたＡ−プリアンブル（Ａｄｖａｎｃｅｄ  ｐｒｅａｍｂｌｅ）を用いて前記ＣＳＧフェムトＡＢＳのタイプを決定する、請求項１５に記載のＡＭＳ装置。
【発明の詳細な説明】
【技術分野】
【０００１】
以下の説明は、マクロ基地局、一つ以上のフェムト基地局及び一つ以上の端末を含む移動通信システムにおいて、特定フェムト基地局または特定端末が通信を行う技術に関するものである。
【背景技術】
【０００２】
フェムト基地局は、マクロ基地局の小型バージョンで、マクロ基地局が果たす機能の大部分を行うもので、マクロ基地局がカバーする領域に設置されたり、マクロ基地局がカバーできない陰影地域に設置されうる基地局類型である。フェムト基地局は、独立して作動するネットワーク構成を備えており、また、リレー基地局に比べて都心または室内に格段に多く設置されることができる。
【０００３】
図１は、フェムト基地局が追加された無線通信システムの構成図である。
【０００４】
図１に示すように、フェムト基地局が追加された無線通信システムは、フェムト基地局１１０、マクロ基地局、フェムトネットワークゲートウェイ（ｆｅｍｔｏ  ｎｅｔｗｏｒｋ  ｇａｔｅｗａｙ；以下、“ＦＮＧ”という。）１３０、接続サービスネットワーク（ａｃｃｅｓｓ  ｓｅｒｖｉｃｅ  ｎｅｔｗｏｒｋ；以下、“ＡＳＮ”という。）１４０、及び連結サービスネットワーク（ｃｏｎｎｅｃｔｉｖｉｔｙ  ｓｅｒｖｉｃｅ  ｎｅｔｗｏｒｋ；以下、“ＣＳＮ”という。）１５０を含むことができる。マクロ基地局は、従来の無線通信システムの一般的な基地局を意味する。
【０００５】
フェムト基地局１１０は、ＴＣＰ／ＩＰ（ｔｒａｎｓｍｉｓｓｉｏｎ  ｃｏｎｔｒｏｌ  ｐｒｏｔｏｃｏｌ／ｉｎｔｅｒｎｅｔ  ｐｒｏｔｏｃｏｌ）ネットワークに直接接続して、マクロ基地局と同様に独立して作動し、カバレッジは０．１〜３０ｍ程度であり、一つのフェムト基地局１１０が受容可能な端末は１０〜２０個程度と仮定されている。フェムト基地局１１０は、マクロ基地局と同じ周波数を使用することもでき（ｉｎｔｒａ  ＦＡ（Ｆｒｅｑｕｅｎｃｙ  Ａｌｌｏｃａｔｉｏｎ）の場合）、異なる周波数を使用することもできる（Ｉｎｔｅｒ  ＦＡの場合）。
【０００６】
フェムト基地局１１０は、マクロ基地局とＲ１インターフェースを介して連結されて、マクロ基地局からダウンリンクチャネルを受信し、マクロ基地局に制御信号（ｃｏｎｔｒｏｌ  ｓｉｇｎａｌ）を伝送することができる。
【０００７】
フェムト基地局１１０は、マクロ基地局がカバーできない室内または陰影地域をカバーでき、高いデータ伝送を支援することができる。フェムト基地局１１０は、マクロセル内にオーバーレイ（ｏｖｅｒｌａｙ）形態で設置されてもよく、マクロ基地局がカバーしない地域にノン・オーバーレイ（ｎｏｎ−ｏｖｅｒｌａｙ）形態で設置されてもよい。
【０００８】
フェムト基地局１１０は、２とおりのタイプに分類される。第一のタイプは、ＣＳＧ（ｃｌｏｓｅｄ  ｓｕｂｓｃｒｉｂｅｒ  ｇｒｏｕｐ）フェムト基地局であり、第二のタイプは、ＯＳＧ（ｏｐｅｎ  ｓｕｂｓｃｒｉｂｅｒ  ｇｒｏｕｐ）フェムト基地局である。ＣＳＧフェムト基地局は、自身に接近可能な端末をグルーピングしてＣＳＧ  ＩＤ（ｉｄｅｎｔｉｆｉｃａｔｉｏｎ）を与え、ＣＳＧ  ＩＤの与えられた端末とそうでない端末がＣＳＧフェムトセル基地局に接続するときに差別を与えることができる。ＯＳＧフェムトセル基地局は、いかなる端末も接続できる基地局である。
【０００９】
ＦＮＧ  １３０は、フェムト基地局１１０を制御するゲートウェイで、ＡＳＮ  １４０及びＣＳＮ  １５０とＲｘインターフェース及びＲｙインターフェースを介して連結されてよい。フェムト基地局１１０は、ＦＮＧ  ２３０を介してＣＳＮ  １５０からサービスを受けることができ、フェムト基地局１１０に接続している端末は、ＦＮＧ  １３０またはＣＳＮ  １５０から認証、ＩＭＳ等の機能に対するサービスを受けることができる。
【００１０】
ＣＳＮ  １５０は端末にインターネット、ＶｏＩＰなどのような応用サービスの連結を提供し、認証及び課金機能を提供し、ＡＳＮ  １４０は、マクロ基地局を制御してマクロ基地局とＣＳＮ  １５０との連結を管理することができる。
【００１１】
一方、上記のＣＳＧタイプフェムト基地局は、非メンバー端末、すなわち、ＣＳＧ  ＩＤの与えられていない端末の接続可能性によって、２とおりのタイプに分類することができる。
【００１２】
ＣＳＧ閉鎖フェムト基地局（ＣＳＧ−Ｃｌｏｓｅｄ  Ｆｅｍｔｏ  ＡＢＳ）は、メンバー端末にのみ接続を許容する類型である。端末は、自身への接続が許容されたＣＳＧ閉鎖フェムト基地局識別子を、ホワイトリスト（Ｗｈｉｔｅ  ｌｉｓｔ）に保存することができる。
【００１３】
一方、ＣＳＧ開放フェムト基地局（ＣＳＧ−Ｏｐｅｎ  Ｆｅｍｔｏ  ＡＢＳ）は、メンバー端末に優先してサービスを支援し、リソースに余裕がある場合、非メンバー端末にも接続を許容する類型である。ただし、非メンバー端末に対するサービスレベルは、メンバー端末と差別化することができる。
【００１４】
現在、フェムト基地局を用いる移動通信システムにおいて、ＣＳＧタイプフェムト基地局に対して上記のように非メンバー端末の接続を許容するか否かによる２とおりのタイプは固定していると仮定しており、ＣＳＧ開放／閉鎖フェムト基地局の区別は、ＡＡＩ＿ＳＣＤ（Ａｄｖａｎｃｅｄ  Ａｉｒ  Ｉｎｔｅｒｆａｃｅ  Ｓｙｓｔｅｍ  Ｃｏｎｆｉｇｕｒａｔｉｏｎ  Ｄｅｓｃｒｉｐｔｏｒ）メッセージにおいてパーティション（ｐａｒｔｉｔｉｏｎ）情報からわかる。
【００１５】
一方、マクロ基地局とフェムト基地局が同一の周波数領域に設置される場合、マクロ基地局に連結された非メンバーＣＳＧ端末は、周辺のフェムト基地局から干渉（Ｉｎｔｅｒｆｅｒｅｎｃｅ）を感じることがある。この場合、マクロ基地局は、該当のフェムト基地局が一定のリソース領域を使用しないようにし、端末の干渉を調整することができる。
【発明の概要】
【発明が解決しようとする課題】
【００１６】
現在の標準は、上記の通り、ＣＳＧフェムト基地局のＣＳＧ開放／閉鎖タイプが固定していると仮定しているが、にもかかわらず、特定状況では、あるフェムト基地局がＣＳＧ開放／閉鎖タイプ切替が可能なように設定することが望ましい。
【００１７】
一例として、ＣＳＧ閉鎖フェムト基地局が余裕リソースを有し、非メンバー端末を受容できる場合、逆に、ＣＳＧ開放フェムト基地局のリソースが枯渇して非メンバー端末の接続を禁止すべき場合があり、このような場合、ＣＳＧフェムト基地局がタイプを変更し、この変更情報を放送することによって、非メンバー端末が效率的に通信を行えるようにすることができる。
【００１８】
別の例として、マクロ基地局とフェムト基地局とが同じ周波数領域に設置され、マクロ基地局に連結された非メンバーＣＳＧ端末が周辺のフェムト基地局から干渉を感じる場合、上記の干渉調整に加えて、ＣＳＧ閉鎖フェムト基地局がＣＳＧ開放フェムト基地局に切り替わることが可能であれば、該当の端末は、このフェムト基地局にハンドオーバー／ネットワーク進入を行うことができる。
【課題を解決するための手段】
【００１９】
上記課題を解決するための本発明の一実施の形態では、マクロ基地局、一つ以上のフェムト基地局及び一つ以上の端末を含む移動通信システムで特定フェムト基地局が通信を行う方法において、前記特定フェムト基地局がＯＳＧ（Ｏｐｅｎ  Ｓｕｂｓｃｒｉｂｅｒ  Ｇｒｏｕｐ）フェムト基地局及びＣＳＧ（Ｃｌｏｓｅｄ  Ｓｕｂｓｃｒｉｂｅｒ  Ｇｒｏｕｐ）フェムト基地局のうち、前記ＣＳＧフェムト基地局であることを示す第１セルタイプ情報を放送する段階と、前記特定フェムト基地局に非メンバー端末が接続できるか否かによる第１タイプまたは第２タイプのうち、前記フェムト基地局が第１タイプとして動作することを示す第２セルタイプ情報を放送する段階と、前記特定フェムト基地局が特定条件下で前記第２タイプに切り替わる段階と、前記特定フェムト基地局の前記第２セルタイプ情報変更を表す信号を、前記マクロ基地局及び前記一つ以上の端末のうちの一つ以上に伝送する段階と、を含むフェムト基地局の通信方法を提案する。
【００２０】
ここで、前記第１タイプとして動作するＣＳＧフェムト基地局は、ＣＳＧ閉鎖フェムト基地局（ＣＳＧ  Ｃｌｏｓｅｄ  Ｆｅｍｔｏ  ＡＢＳ）であり、前記第２タイプとして動作するＣＳＧフェムト基地局は、ＣＳＧ開放フェムト基地局（ＣＳＧ  Ｏｐｅｎ  Ｆｅｍｔｏ  ＡＢＳ）でもよく、前記第１タイプとして動作するＣＳＧフェムト基地局は、ＣＳＧ開放フェムト基地局であり、前記第２タイプとして動作するＣＳＧフェムト基地局は、ＣＳＧ閉鎖フェムト基地局でもよい。
【００２１】
前者の場合を仮定して説明すると、前記特定条件は、前記特定フェムト基地局が利用可能なリソース程度または前記特定フェムト基地局から干渉を受ける非メンバー端末の干渉調整状況を含むことができ、前記特定フェムト基地局が利用可能なリソースが不足している場合、前記特定フェムト基地局に対するメンバー端末及び非メンバー端末のうち、前記メンバー端末の接続のみを許容することを示す第１タイプフェムトセルバービット（Ｆｅｍｔｏ  Ｃｅｌｌ  Ｂａｒ  Ｂｉｔ）、または前記特定フェムト基地局に対するメンバー端末及び非メンバー端末のいずれにも接続を許容しない第２タイプフェムトセルバービットを放送する段階をさらに含むことができる。
【００２２】
また、前記マクロ基地局から、前記特定フェムト基地局から干渉を受ける特定非メンバー端末に関する干渉調整情報またはモード切替要請情報を受信する段階と、前記特定フェムト基地局が前記特定条件下で前記第２タイプに切り替わる段階と、前記特定非メンバー端末とハンドオーバー手順を行う段階と、をさらに含むことができる。
【００２３】
上記課題を解決するための本発明の他の実施の形態では、マクロ基地局、一つ以上のフェムト基地局及び一つ以上の端末を含む移動通信システムで特定端末が通信を行う方法において、特定フェムト基地局がＯＳＧ（Ｏｐｅｎ  Ｓｕｂｓｃｒｉｂｅｒ  Ｇｒｏｕｐ）フェムト基地局及びＣＳＧ（Ｃｌｏｓｅｄ  Ｓｕｂｓｃｒｉｂｅｒ  Ｇｒｏｕｐ）フェムト基地局のうち、前記ＣＳＧフェムト基地局であることを示す第１セルタイプ情報を受信する段階と、前記特定フェムト基地局に非メンバー端末が接続できるか否かによる第１タイプまたは第２タイプのうち、前記フェムト基地局が第１タイプとして動作することを示す第２セルタイプ情報を受信する段階と、前記特定フェムト基地局が前記第２タイプに切り替わったことを示す前記第２タイプ情報変更を表す信号を受信する段階と、前記第２タイプ情報変更を表す信号によって、前記特定端末が前記特定フェムト基地局に接続するか否かを決定する段階と、を含む端末の通信方法を提案する。
【００２４】
前記第１タイプとして動作するＣＳＧフェムト基地局は、ＣＳＧ閉鎖フェムト基地局（ＣＳＧ  Ｃｌｏｓｅｄ  Ｆｅｍｔｏ  ＡＢＳ）であり、前記第２タイプとして動作するＣＳＧフェムト基地局は、ＣＳＧ開放フェムト基地局（ＣＳＧ  Ｏｐｅｎ  Ｆｅｍｔｏ  ＡＢＳ）でよい。前記特定端末は、前記特定フェムト基地局に対する非メンバーであり、この場合、前記第１タイプとして動作している前記特定フェムト基地局が一定レベル以上の干渉を発生する場合、前記マクロ基地局に前記特定フェムト基地局特定情報を伝送する段階と、前記特定フェムト基地局が前記第２タイプに切り替わったことを認知した前記マクロ基地局から隣接基地局スキャン命令を受信する段階と、前記隣接基地局スキャン命令に従うスキャン結果を、前記マクロ基地局に報告する段階と、前記マクロ基地局から前記特定フェムト基地局へのハンドオーバーを指示する命令を受信する段階と、をさらに含むことができる。
【００２５】
一方、本発明のさらに他の実施の形態では、マクロ基地局、一つ以上のフェムト基地局及び一つ以上の端末を含む移動通信システムで通信を行う特定フェムト基地局装置において、前記特定フェムト基地局がＯＳＧ（Ｏｐｅｎ  Ｓｕｂｓｃｒｉｂｅｒ  Ｇｒｏｕｐ）フェムト基地局及びＣＳＧ（Ｃｌｏｓｅｄ  Ｓｕｂｓｃｒｉｂｅｒ  Ｇｒｏｕｐ）フェムト基地局のうち、前記ＣＳＧフェムト基地局であることを示す第１セルタイプ情報、及び前記特定フェムト基地局に非メンバー端末が接続できるか否かによる第１タイプまたは第２タイプのうち、前記フェムト基地局が第１タイプとして動作することを示す第２セルタイプ情報を獲得し、前記特定フェムト基地局が特定条件下で前記第２タイプに切り替わるように制御し、前記特定フェムト基地局が前記第２タイプに切り替わった場合、前記特定フェムト基地局の前記第２セルタイプ情報変更を表す信号を生成するプロセッサと、前記プロセッサから、前記第１セルタイプ情報、前記第２セルタイプ情報及び前記第２セルタイプ情報変更を表す信号を受信し、前記マクロ基地局及び前記一つ以上の端末のうちの一つ以上に伝送する伝送モジュールと、を含むフェムト基地局装置を提案する。
【００２６】
ここで、前記第１タイプとして動作するＣＳＧフェムト基地局は、ＣＳＧ閉鎖フェムト基地局（ＣＳＧ  Ｃｌｏｓｅｄ  Ｆｅｍｔｏ  ＡＢＳ）であり、前記第２タイプとして動作するＣＳＧフェムト基地局は、ＣＳＧ開放フェムト基地局（ＣＳＧ  Ｏｐｅｎ  Ｆｅｍｔｏ  ＡＢＳ）でよい。
【００２７】
また、前記マクロ基地局から前記特定フェムト基地局から干渉を受ける特定非メンバー端末に関する干渉調整情報またはモード切替要請情報を受信する受信モジュールをさらに含むことができ、前記受信モジュールが前記干渉調整情報または前記モード切替要請情報を受信する場合、前記プロセッサは、前記特定条件下で前記第２タイプに切り替わるように制御し、前記特定非メンバー端末とハンドオーバー手順を行うように制御することができる。
【００２８】
一方、本発明のさらに他の実施の形態では、マクロ基地局、一つ以上のフェムト基地局及び一つ以上の端末を含む移動通信システムで通信を行う特定端末装置において、特定フェムト基地局がＯＳＧ（Ｏｐｅｎ  Ｓｕｂｓｃｒｉｂｅｒ  Ｇｒｏｕｐ）フェムト基地局及びＣＳＧ（Ｃｌｏｓｅｄ  Ｓｕｂｓｃｒｉｂｅｒ  Ｇｒｏｕｐ）フェムト基地局のうち、前記ＣＳＧフェムト基地局であることを示す第１セルタイプ情報、前記特定フェムト基地局に非メンバー端末が接続できるか否かによる第１タイプまたは第２タイプのうち、前記フェムト基地局が第１タイプとして動作することを示す第２セルタイプ情報、及び前記特定フェムト基地局が前記第２タイプに切り替わったことを示す前記第２セルタイプ情報変更を表す信号を受信する受信モジュールと、前記第２セルタイプ情報変更を表す信号によって、前記特定フェムト基地局に接続するか否かを決定するプロセッサと、を含む端末装置を提案する。
【００２９】
ここで、前記第１タイプとして動作するＣＳＧフェムト基地局は、ＣＳＧ閉鎖フェムト基地局（ＣＳＧ  Ｃｌｏｓｅｄ  Ｆｅｍｔｏ  ＡＢＳ）であり、前記第２タイプとして動作するＣＳＧフェムト基地局は、ＣＳＧ開放フェムト基地局（ＣＳＧ  Ｏｐｅｎ  Ｆｅｍｔｏ  ＡＢＳ）でよい。
【００３０】
また、前記特定端末は、前記特定フェムト基地局に対する非メンバーでよく、この場合、前記端末装置は、前記第１タイプとして動作している前記特定フェムト基地局が一定レベル以上の干渉を発生する場合、前記マクロ基地局に前記特定フェムト基地局特定情報を伝送するための伝送モジュールをさらに含み、前記プロセッサは、前記受信モジュールが、前記特定フェムト基地局が前記第２タイプに切り替わったことを認知した前記マクロ基地局から隣接基地局スキャン命令を受信する場合、前記隣接基地局スキャン命令に従うスキャン結果を、前記伝送モジュールを通じて前記マクロ基地局に報告するように制御し、前記受信モジュールが前記マクロ基地局から前記特定フェムト基地局へのハンドオーバーを指示する命令を受信する場合、前記特定フェムト基地局へのハンドオーバー手順を制御することができる。
本願明細書は、例えば、以下の項目も提供する。
（項目１）
マクロ基地局、一つ以上のフェムト基地局及び一つ以上の端末を含む移動通信システムにおいて特定フェムト基地局が通信を行う方法であって、
前記特定フェムト基地局が、ＯＳＧ（Ｏｐｅｎ  Ｓｕｂｓｃｒｉｂｅｒ  Ｇｒｏｕｐ）フェムト基地局及びＣＳＧ（Ｃｌｏｓｅｄ  Ｓｕｂｓｃｒｉｂｅｒ  Ｇｒｏｕｐ）フェムト基地局のうち、前記ＣＳＧフェムト基地局であることを示す第１セルタイプ情報を放送し、
前記特定フェムト基地局に非メンバー端末が接続できるか否かによる第１タイプまたは第２タイプのうち、前記フェムト基地局が第１タイプとして動作することを示す第２セルタイプ情報を放送し、
前記特定フェムト基地局が特定条件下で前記第２タイプに切り替わり、
前記特定フェムト基地局の前記第２セルタイプ情報変更を示す信号を、前記マクロ基地局及び前記一つ以上の端末のうちの一つ以上に伝送すること、
を含む、フェムト基地局の通信方法。
（項目２）
前記第１タイプとして動作するＣＳＧフェムト基地局は、ＣＳＧ閉鎖フェムト基地局（ＣＳＧ  Ｃｌｏｓｅｄ  Ｆｅｍｔｏ  ＡＢＳ）であり、
前記第２タイプとして動作するＣＳＧフェムト基地局は、ＣＳＧ開放フェムト基地局（ＣＳＧ  Ｏｐｅｎ  Ｆｅｍｔｏ  ＡＢＳ）である、項目１に記載のフェムト基地局の通信方法。
（項目３）
前記第１タイプとして動作するＣＳＧフェムト基地局は、ＣＳＧ開放フェムト基地局であり、
前記第２タイプとして動作するＣＳＧフェムト基地局は、ＣＳＧ閉鎖フェムト基地局である、項目１に記載のフェムト基地局の通信方法。
（項目４）
前記特定条件は、前記特定フェムト基地局が利用可能なリソース程度または前記特定フェムト基地局から干渉を受ける非メンバー端末の干渉調整状況を含む、項目１に記載のフェムト基地局の通信方法。
（項目５）
前記特定フェムト基地局が利用可能なリソースが不足している場合、前記特定フェムト基地局に対するメンバー端末及び非メンバー端末のうち、前記メンバー端末の接続のみを許容することを示す第１タイプフェムトセルバービット（Ｆｅｍｔｏ  Ｃｅｌｌ  Ｂａｒ  Ｂｉｔ）または前記特定フェムト基地局に対するメンバー端末及び非メンバー端末のいずれにも接続を許容しない第２タイプフェムトセルバービットを放送することをさらに含む、項目１に記載のフェムト基地局の通信方法。
（項目６）
前記マクロ基地局から、前記特定フェムト基地局から干渉を受ける特定非メンバー端末に関する干渉調整情報またはモード切替要請情報を受信し、
前記特定フェムト基地局が前記特定条件下で前記第２タイプに切り替わり、
前記特定非メンバー端末とハンドオーバー手順を行うこと
をさらに含む、項目２に記載のフェムト基地局の通信方法。
（項目７）
マクロ基地局、一つ以上のフェムト基地局及び一つ以上の端末を含む移動通信システムにおいて特定端末が通信を行う方法であって、
特定フェムト基地局がＯＳＧ（Ｏｐｅｎ  Ｓｕｂｓｃｒｉｂｅｒ  Ｇｒｏｕｐ）フェムト基地局及びＣＳＧ（Ｃｌｏｓｅｄ  Ｓｕｂｓｃｒｉｂｅｒ  Ｇｒｏｕｐ）フェムト基地局のうち、前記ＣＳＧフェムト基地局であることを示す第１セルタイプ情報を受信し、
前記特定フェムト基地局に非メンバー端末が接続できるか否かによる第１タイプまたは第２タイプのうち、前記フェムト基地局が第１タイプとして動作することを示す第２セルタイプ情報を受信し、
前記特定フェムト基地局が前記第２タイプに切り替わったことを示す前記第２タイプ情報変更を表す信号を受信し、
前記第２タイプ情報変更を示す信号によって、前記特定端末が前記特定フェムト基地局へ接続するか否かを決定することを含む、端末の通信方法。
（項目８）
前記第１タイプとして動作するＣＳＧフェムト基地局は、ＣＳＧ閉鎖フェムト基地局（ＣＳＧ  Ｃｌｏｓｅｄ  ＦｅｍｔｏＡＢＳ）であり、
前記第２タイプとして動作するＣＳＧフェムト基地局は、ＣＳＧ開放フェムト基地局（ＣＳＧ  Ｏｐｅｎ  Ｆｅｍｔｏ  ＡＢＳ）である、項目７に記載の端末の通信方法。
（項目９）
前記特定端末は、前記特定フェムト基地局に対する非メンバーであり、
前記第１タイプとして動作している前記特定フェムト基地局が一定レベル以上の干渉を発生する場合、前記マクロ基地局に前記特定フェムト基地局特定情報を伝送し、
前記特定フェムト基地局が前記第２タイプに切り替わったことを認知した前記マクロ基地局から、隣接基地局スキャン命令を受信し、
前記隣接基地局スキャン命令に従うスキャン結果を前記マクロ基地局に報告し、
前記マクロ基地局から前記特定フェムト基地局へのハンドオーバーを指示する命令を受信すること、
をさらに含む、項目８に記載の端末の通信方法。
（項目１０）
マクロ基地局、一つ以上のフェムト基地局及び一つ以上の端末を含む移動通信システムにおいて通信を行う特定フェムト基地局装置であって、
前記特定フェムト基地局が、ＯＳＧ（Ｏｐｅｎ  Ｓｕｂｓｃｒｉｂｅｒ  Ｇｒｏｕｐ）フェムト基地局及びＣＳＧ（Ｃｌｏｓｅｄ  Ｓｕｂｓｃｒｉｂｅｒ  Ｇｒｏｕｐ）フェムト基地局のうち、前記ＣＳＧフェムト基地局であることを示す第１セルタイプ情報、及び前記特定フェムト基地局に非メンバー端末が接続できるか否かによる第１タイプまたは第２タイプのうち、前記フェムト基地局が第１タイプとして動作することを示す第２セルタイプ情報を獲得し、前記特定フェムト基地局が特定条件下で前記第２タイプに切り替わるように制御し、前記特定フェムト基地局が前記第２タイプに切り替わった場合、前記特定フェムト基地局の前記第２セルタイプ情報変更を表す信号を生成するプロセッサと、
前記プロセッサから、前記第１セルタイプ情報、前記第２セルタイプ情報及び前記第２セルタイプ情報変更を表す信号を受信し、前記マクロ基地局及び前記一つ以上の端末のうちの一つ以上に伝送する伝送モジュールと、
を含む、フェムト基地局装置。
（項目１１）
前記第１タイプとして動作するＣＳＧフェムト基地局は、ＣＳＧ閉鎖フェムト基地局（ＣＳＧ  Ｃｌｏｓｅｄ  Ｆｅｍｔｏ  ＡＢＳ）であり、
前記第２タイプとして動作するＣＳＧフェムト基地局は、ＣＳＧ開放フェムト基地局（ＣＳＧ  Ｏｐｅｎ  Ｆｅｍｔｏ  ＡＢＳ）である、項目１０に記載のフェムト基地局装置。
（項目１２）
前記マクロ基地局から、前記特定フェムト基地局から干渉を受ける特定非メンバー端末に関する干渉調整情報またはモード切替要請情報を受信する受信モジュールをさらに含み、
前記受信モジュールが前記干渉調整情報または前記モード切替要請情報を受信する場合、前記プロセッサは、前記特定条件下で前記第２タイプに切り替わるように制御し、前記特定非メンバー端末とハンドオーバー手順を行うように制御する、項目１１に記載のフェムト基地局装置。
（項目１３）
マクロ基地局、一つ以上のフェムト基地局及び一つ以上の端末を含む移動通信システムにおいて通信を行う特定端末装置であって、
特定フェムト基地局がＯＳＧ（Ｏｐｅｎ  Ｓｕｂｓｃｒｉｂｅｒ  Ｇｒｏｕｐ）フェムト基地局及びＣＳＧ（Ｃｌｏｓｅｄ  Ｓｕｂｓｃｒｉｂｅｒ  Ｇｒｏｕｐ）フェムト基地局のうち、前記ＣＳＧフェムト基地局であることを示す第１セルタイプ情報、前記特定フェムト基地局に非メンバー端末が接続できるか否かによる第１タイプまたは第２タイプのうち、前記フェムト基地局が第１タイプとして動作することを示す第２セルタイプ情報、及び前記特定フェムト基地局が前記第２タイプに切り替わったことを示す前記第２セルタイプ情報変更を表す信号を受信する受信モジュールと、
前記第２セルタイプ情報変更を表す信号によって、前記特定フェムト基地局へ接続するか否かを決定するプロセッサと、
を含む、端末装置。
（項目１４）
前記第１タイプとして動作するＣＳＧフェムト基地局は、ＣＳＧ閉鎖フェムト基地局（ＣＳＧ  Ｃｌｏｓｅｄ  Ｆｅｍｔｏ  ＡＢＳ）であり、
前記第２タイプとして動作するＣＳＧフェムト基地局は、ＣＳＧ開放フェムト基地局（ＣＳＧ  Ｏｐｅｎ  Ｆｅｍｔｏ  ＡＢＳ）である、項目１３に記載の端末装置。
（項目１５）
前記特定端末は、前記特定フェムト基地局に対する非メンバーであり、
前記端末装置は、
前記第１タイプとして動作している前記特定フェムト基地局が一定レベル以上の干渉を発生する場合、前記マクロ基地局に前記特定フェムト基地局特定情報を伝送するための伝送モジュールをさらに含み、
前記プロセッサは、前記受信モジュールが前記特定フェムト基地局が前記第２タイプに切り替わったことを認知した前記マクロ基地局から隣接基地局スキャン命令を受信する場合、前記隣接基地局スキャン命令に従うスキャン結果を、前記伝送モジュールを介して前記マクロ基地局に報告するように制御し、
前記受信モジュールが、前記マクロ基地局から前記特定フェムト基地局へのハンドオーバーを指示する命令を受信する場合、前記特定フェムト基地局へのハンドオーバー手順を制御する、項目１４に記載の端末装置。
【発明の効果】
【００３１】
上記の手法によれば、ＣＳＧフェムト基地局のタイプ切替を用いて、マクロ基地局、フェムト基地局、端末間に效率的に通信を行うことができる。
【図面の簡単な説明】
【００３２】
【図１】フェムト基地局が追加された無線通信システムの構成図である。
【図２】本発明の一実施の形態によって、ＣＳＧ開放フェムト基地局がＣＳＧ閉鎖フェムト基地局にタイプを変換し、それを知らせて端末の余計なネットワーク進入（Ｎｅｔｗｏｒｋ  Ｅｎｔｒｙ：ＮＥ）またはハンドオーバー（ＨＯ）を防止する方式を示す図である。
【図３】本発明の一実施の形態によって、ＣＳＧ閉鎖フェムト基地局がＣＳＧ開放フェムト基地局にタイプを変換し、それを知らせて端末のネットワーク進入（ＮＥ）またはハンドオーバー（ＨＯ）を許容する方式を示す図である。
【図４】本発明の一実施の形態によって、ＣＳＧ開放フェムト基地局のリソース状態に応じて基地局がＣＳＧセルバーを用いてセルタイプ変更無しで非メンバー端末のネットワーク進入／ハンドオーバーを禁止する方式を説明するための図である。
【図５】本発明の他の実施の形態によって、フェムト基地局が、マクロ基地局が用いるセルバービットと同じセルバービットを用いる方式について説明するための図である。
【図６】本発明の一実施の形態によって、端末が該当のフェムト基地局にメンバーであるか否か表す表示子を伝送し、フェムト基地局がそれに基づいて接続許容可否を決定する方式を説明するための図である。
【図７】本発明の他の実施の形態によって、端末が、自身がメンバーであるか否かを知らせる方法を説明するための図である。
【図８】干渉調整のためにフェムト基地局のリソースが留保された状況においてＣＳＧフェムト基地局タイプが閉鎖から開放へと切り替わって、端末が該当のフェムト基地局にハンドオーバーを行う方式を説明するための図である。
【図９】本発明の一実施例によって、端末がマクロ基地局と連結されており、フェムト基地局に干渉調整のためのリソース留保がない状況においてフェムト基地局のセルタイプ変更を用いた干渉調整方式を説明するための図である。
【図１０】本発明の一実施例によって、端末はマクロ基地局と連結されておらず、フェムト基地局に干渉調整のためのリソース留保がない状況においてフェムトセルのセルタイプ変更を用いて干渉調整を行う方法を説明するための図である。
【図１１】本発明の実施の形態に係る端末、フェムト基地局、マクロ基地局の装置構成の概略を説明するための図である。
【発明を実施するための形態】
【００３３】
以下、添付の図面を参照しつつ、本発明の様々な実施の形態について、本発明の属する技術の分野における通常の知識を有する者が容易に実施できるように詳細に説明する。ただし、本発明は、様々な別の形態に具現することができ、ここで説明する実施の形態に限定されない。そして、図面中、本発明を明確に説明するために、説明と関係ない部分は省略し、明細書全体を通じて類似の部分には類似の図面符号を付ける。
【００３４】
明細書全体において、ある部分がある構成要素を“含む”とすれば、これは、特別な言及がない限り、他の構成要素を除外するという意味ではなく、他の構成要素をさらに含むことが可能であるということを意味する。また、明細書に記載された“…部”、“…機”、“モジュール”などの用語は、少なくとも一つの機能や動作を処理する単位を意味し、これは、ハードウェア、ソフトウェア、またはハードウェアとソフトウェアとの結合で具現することができる。
【００３５】
以下に説明する実施の形態は、説明の便宜のために、ＩＥＥＥ  ８０２．１６ｍ標準に符合する移動通信システムを中心にして説明するが、これに限定されることはない。ＩＥＥＥ  ８０２．１６ｍシステムに基づく基地局及び端末は、レガシーシステム（ｌｅｇａｃｙ  ｓｙｓｔｅｍ）、例えば、ＩＥＥＥ  ８０２．１６ｅシステムに基づく端末（Ｍｏｂｉｌｅ  Ｓｔａｔｉｏｎ：ＭＳ）及び基地局（Ｂａｓｅ  Ｓｔａｔｉｏｎ：ＢＳ）と区別して、進展した基地局（Ａｄｖａｎｃｅｄ  ＢＳ：ＡＢＳ）、進展した端末（Ａｄｖａｎｃｅｄ  ＭＳ：ＡＭＳ）と呼ぶことができるが、以下、本発明の実施の形態についての説明では、簡単に、基地局、端末と表記するものとする。
【００３６】
なお、上記のＣＳＧ開放フェムト基地局（ＣＳＧ−Ｏｐｅｎ  Ｆｍｅｔｏ  ＡＢＳ）、ＣＳＧ閉鎖フェムト基地局（ＣＳＧ−Ｃｌｏｓｅｄ  Ｆｅｍｔｏ  ＡＢＳ）は、ＣＳＧフェムト基地局への非メンバー端末の接続可否を区別する限り、別の用語と呼ばれてもよい。
【００３７】
上記に基づき、以下では、フェムト基地局のタイプ変換を用いた通信手法に関する様々な実施の形態を説明する。
【００３８】
マクロ基地局、一つ以上のフェムト基地局及び一つ以上の端末を含む移動通信システムにおいて、特定フェムト基地局は、自身がＯＳＧフェムト基地局であるか、ＣＳＧフェムト基地局であるかを、スーパーフレームヘッダー（Ｓｕｐｅｒｆｒａｍｅ  Ｈｅａｄｅｒ：ＳＦＨ）を通じて放送することができる。また、ＣＳＧフェムト基地局の場合、非メンバー端末の接続可能性による２タイプ（例えば、ＣＳＧ開放／閉鎖）のうち、自身がどのタイプで動作するかを、ＡＡＩ＿ＳＣＤメッセージを用いて放送することができる。
【００３９】
さらに、本発明の一実施の形態に係るフェムト基地局は、ＣＳＧメンバーにのみサービスをしたい時にはＣＳＧ−閉鎖タイプで構成され、ＣＳＧ閉鎖フェムト基地局のリソースに余裕がある時には、非メンバー端末にもサービスができるＣＳＧ開放フェムトタイプにタイプ変更ができると仮定する。この場合、フェムト基地局は、ネットワークと周辺端末にもタイプ変更を知らせることが望ましい。
【００４０】
すなわち、ＣＳＧ閉鎖モードのフェムト基地局が、リソースが充分な時にはＣＳＧ開放モードにモードを変更し、非メンバー端末にも（例えば、所有主が自身のホームＣＳＧフェムト基地局を通じてしばらく訪問中のお客にサービスを提供しようとする場合）サービスを許容することができる。このときには、フェムトタイプをＣＳＧ閉鎖からＣＳＧ開放に変更し、それを知らせる必要な場合がある。
【００４１】
これと逆に、ＣＳＧ開放フェムト基地局であっても非メンバーにサービスすることができない状態、すなわち、非メンバー端末のためのリソースが充分でない場合には、追加のＣＳＧメンバーにはサービスをすることができるが、以降の非メンバー端末にはサービスが不可能なため、それを端末／ネットワークに知らせることが必要である。
【００４２】
ＣＳＧフェムト基地局がＣＳＧ開放フェムト基地局であるか、ＣＳＧ閉鎖フェムト基地局であるかは、一般に、‘タイプ（Ｔｙｐｅ）’で区別するすることができ、ＣＳＧフェムト基地局は、自身の動作方式によって、物理階層でＣＳＧ開放／閉鎖タイプに対応するプリアンブルセルＩＤ（Ｐｒｅａｍｂｌｅ  Ｃｅｌｌ  ＩＤ）を受けることができる。ただし、本発明の実施の形態によって、ＣＳＧフェムト基地局が自身のセルタイプを変更する場合、物理階層における通信に混同を招く可能性もある。したがって、本発明の他の実施の形態では、ＣＳＧフェムト基地局がセルタイプは変更せずに（すなわち、物理的に区別される識別子などはそのまま使用し）、動作‘モード（ｍｏｄｅ）’のみを変更する方式で適用することができる。例えば、自身が最初にＣＳＧ閉鎖フェムト基地局に対応するプリアンブルセル識別子を受けた場合、動作モードをＣＳＧ開放フェムト基地局に変更し、非メンバー端末の接続を許容する方式として応用可能である。この場合、自身のモード切替は、他の方式の放送信号を用いることができる。
【００４３】
したがって、本発明の一実施の形態では、状況に応じてフェムト基地局がタイプ／モードを変更し、これを放送し、放送された情報に基づき、端末が余計なネットワーク接続をしないようにしたり、あるいは、端末にネットワーク接続が可能なフェムト基地局を知らせることを提案する。説明の便宜のために、以下では、フェムト基地局が状況に応じて‘タイプ’を変更することを中心に説明するが、特別な言及がない限り、フェムト基地局が‘タイプ’は維持した状態で‘モード’のみを変更することも同様に含むとする。
【００４４】
以下では、上記の通り、フェムト基地局の状況（例えば、リソース状況）に応じてＣＳＧフェムト基地局のタイプ変更を用いる方式を説明する。
【００４５】
＜第１側面−フェムト基地局状況に応じたタイプ変更＞
図２は、本発明の一実施の形態によって、ＣＳＧ開放フェムト基地局がＣＳＧ閉鎖フェムト基地局にタイプを変換し、これを知らせて端末の余計なネットワーク進入（Ｎｅｔｗｏｒｋ  Ｅｎｔｒｙ：ＮＥ）またはハンドオーバー（ＨＯ）を防止する方式を示す図である。
【００４６】
図２において、第１端末（ＡＭＳ１）はＣＳＧメンバー端末であり、第２端末（ＡＭＳ２）は非メンバー端末であると仮定する。また、第１端末はＣＳＧ開放フェムト基地局に連結されていると仮定する。
【００４７】
もし、ＣＳＧ開放フェムト基地局のリソースが枯渇する場合、本実施の形態に係るフェムト基地局はＣＳＧ閉鎖フェムト基地局に変換し、これを第１及び第２端末に知らせることができる。フェムト基地局のタイプ変換は、フェムト基地局の状態（例えば、リソース状況）に応じてなされたり、マクロ基地局の命令に従ってなされたりすればよい。図２では、このフェムト基地局のタイプ変換情報をＳＦＨを通じて放送することを示しているが、ＡＡＩ−ＳＣＤメッセージまたは他のメッセージを通じて知らせてもよい。これは、マクロ基地局が端末の接続を禁止するセルバー指示子（Ｃｅｌｌ  Ｂａｒ  Ｉｎｄｉｃａｔｏｒ）と類似の役割を果たすと見なすことができる。
【００４８】
上記のようなフェムト基地局のタイプ変換情報を受信した第２端末は、余計にフェムト基地局にネットワーク進入またはハンドオーバーを試みなくて済む。
【００４９】
図３は、本発明の一実施の形態によって、ＣＳＧ閉鎖フェムト基地局がＣＳＧ開放フェムト基地局にタイプを変換し、これを知らせて端末のネットワーク進入（ＮＥ）またはハンドオーバー（ＨＯ）を許容する方式を示す図である。
【００５０】
図３でも、図２と同様、第１端末（ＡＭＳ１）はＣＳＧメンバー端末であり、第２端末（ＡＭＳ２）は非メンバー端末であると仮定する。また、第１端末はＣＳＧ開放フェムト基地局に連結されていると仮定する。
【００５１】
本実施の形態に係るＣＳＧ閉鎖フェムト基地局は、リソースが充分である場合、あるいは、ユーザがフェムトタイプを変更して、自身のフェムト基地局を介してより多い端末にサービスをしようとする場合、フェムトタイプを変更することができる。図３では、ＣＳＧ閉鎖フェムト基地局のタイプをＣＳＧ開放に変更し、ＳＦＨを通じてそれを放送し、非メンバーである第２端末（ＡＭＳ２）にネットワーク進入機会を与える例を示している。変更されたセルタイプはＳＦＨの他、放送メッセージやＭＡＣメッセージを通しで伝送されてもよい。
【００５２】
ＣＳＧ開放フェムト基地局が追加的な非メンバー端末をそれ以上受容できない時点になると、ＳＦＨにフェムトタイプをＣＳＧ開放からＣＳＧ閉鎖に変え、これを放送することで、上記のように、セルバー指示子（ｃｅｌｌ  ｂａｒ  ｉｎｄｉｃａｔｏｒ）を使用した場合と同じ効果を期待することができる。
【００５３】
一方、上記のようなＣＳＧフェムト基地局のタイプ変更と独立してセルバービット（Ｃｅｌｌ  Ｂａｒ  Ｂｉｔ）を用いる方式について説明する。
【００５４】
図４は、本発明の一実施の形態によって、ＣＳＧ開放フェムト基地局のリソース状態に応じて基地局がＣＳＧセルバーを使用してセルタイプ変更無しで非メンバー端末のネットワーク進入／ハンドオーバーを禁止する方式を説明するための図である。
【００５５】
ＣＳＧ開放フェムト基地局は、非ＣＳＧメンバー端末にサービスが不可能な時点にＳＦＨを通じてＣＳＧセルバービットを‘ｏｎ’（例えば、１に設定）して放送することができる。さらに、本実施の形態では、非メンバーＣＳＧ端末の接続が禁止される期間をタイマーを用いて示すために、Ｔｃｓｇ＿ｂａｒｒｅｄ  ｔｉｍｅｒも共に放送し、このタイマーが満了する時点までは、非ＣＳＧメンバーには接続（例えば、ハンドオーバーまたは初期ネットワーク進入要請）が拒否されることを知らせることができる。ただし、本実施の形態では、ＣＳＧセルバービットが‘ＯＮ’されても、ＣＳＧメンバー端末には接続が許容されることを提案する。
【００５６】
図５は、本発明の他の実施の形態によって、フェムト基地局が、マクロ基地局が用いるセルバービットと同じセルバービットを用いる方式について説明するための図である。
【００５７】
本実施の形態に係るセルバービットは、非メンバー端末だけでなく、ＣＳＧメンバー端末の接続も禁止する機能を果たすと仮定する。すなわち、フェムト基地局は、セルロード調整（Ｃｅｌｌ  ｌｏａｄ  ｂａｌａｎｃｅ）のために、ＳＦＨを通じてフェムトセルバービットを‘ＯＮ’（例えば、１に設定）して放送することができる。
【００５８】
これを受信した周辺端末は、当該フェムト基地局への接続を避けるべきであり、この状態は、フェムトセルバービットと一緒に伝送されたＴｆｅｍｔｏ  ｂａｒｒｅｄ  ｔｉｍｅｒの間に持続すると仮定する。すなわち、本実施の形態に係るフェムトセルバービットは、フェムト加入者タイプに関わらないという意味を持つ。
【００５９】
以下では、本発明の他の実施の形態によって、端末が、自身がメンバーであるか否かを示す手法を説明する。
【００６０】
図６は、本発明の一実施の形態によって、端末が該当のフェムト基地局にメンバーであるか否かを示す表示子を伝送し、フェムト基地局がそれに基づいて接続許容可否を決定する方式を説明するための図である。
【００６１】
ＣＳＧ開放タイプのフェムト基地局において、非ＣＳＧメンバー端末にそれ以上サービスができない時点がありうるが、このような状況がわからない非ＣＳＧメンバー端末は、ネットワーク進入を継続して試みることがある。
【００６２】
本実施の形態に係る非ＣＳＧメンバー端末は、ＡＡＩ＿ＲＮＧ−ＲＥＱを伝送する時に、自身がＣＳＧメンバーでないということを表示するために、ＣＳＧメンバービットを‘ＯＦＦ’して伝送することができる。これを受信したＣＳＧ開放フェムト基地局は、ＡＡＩ＿ＲＮＧ＿ＲＳＰメッセージにおいて、レンジ中止タイマー（ｒａｎｇｉｎｇ  ａｂｏｒｔ  ｔｉｍｅｒ）と共に、周辺の他の基地局にリダイレクト（ｒｅｄｉｒｅｃｔ）するために、プリアンブルインデックス（ｐｒｅａｍｂｌｅ  ｉｎｄｅｘ）情報を伝送することができる。
【００６３】
図７は、本発明の他の実施の形態によって、端末が、自身がメンバーであるか否かを知らせる方法を説明するための図である。
【００６４】
図７は、図６の手法に似ており、ただし、ＣＳＧメンバービットを速い接続メッセージ（Ｑｕｉｃｋ  Ａｃｃｅｓｓ  Ｍｅｓｓａｇｅ）で伝送する点が異なる。特に、ＣＳＧ開放基地局にネットワーク進入を行う時、非ＣＳＧメンバー端末は、レンジングコード（ｒａｎｇｉｎｇ  ｃｏｄｅ）と共にメッセージを伝送することができる。このメッセージ部分にＣＳＧメンバービットを‘ＯＦＦ’して伝送すると、フェムト基地局は、非メンバー端末のネットワーク進入であることが認知できる。したがって、フェムト基地局は、この場合に非メンバーのネットワーク進入が不可能であると、レンジング応答メッセージを介して端末の接続を拒否することができる。
【００６５】
以下では、本発明の他の側面として、ＣＳＧフェムト基地局のネットワーク進入条件を放送する方式について説明する。
【００６６】
表１は、ＳＦＨを通じてＣＳＧ開放フェムト基地局のネットワーク進入条件を放送する方式を表すものである。本実施の形態において、マクロ基地局や周辺のフェムト基地局は、ＣＳＧ開放フェムト基地局にハンドオーバーするトリガー条件を放送すると仮定する。
【００６７】
【表１】
0005291204.tif 000002
上記の表１で、タイプ（Ｔｙｐｅ）は、隣接／サービング基地局のリンク状態を表示する基準を示すフィールドで、ＣＩＮＲ、ＲＳＳＩ、紛失フレームの数（ｎｕｍｂｅｒ  ｏｆ  ｍｉｓｓｅｄ  ｆｒａｍｅ）を含むことができる。特に、紛失フレームの数は、あらかじめ定められた値以上と測定される場合、端末が基地局を発見していない状態と推定するために用いることができる。
【００６８】
期間（Ｄｕｒａｔｉｏｎ）フィールドは、結果の信頼性を高めるために、リンク状態測定を２＾ｐフレームの間に行うことを表す。
【００６９】
上記の表１の適用方式を、具体的な例を挙げて説明する。
【００７０】
例１：（タイプ／機能／期間＝０ｘ２／０ｘ３／２＾ｐ）の場合
各周辺の全ての基地局からの紛失フレーム個数が２＾Ｐフレーム区間の間に絶対値よりも大きい時（すなわち、周辺に、連結可能なリンク状態を有する基地局がない時）を表す。
【００７１】
例２：（タイプ／機能／期間＝０ｘ０／０ｘ１／２＾ｐ）の場合
各周辺の全ての基地局のリンク状態を測定し、ＣＩＮＲが絶対値よりも小さい時（すなわち、周辺に、連結を維持できるようなＣＩＮＲ値を有する基地局がない時）を表す。
【００７２】
一方、表２は、既存マクロ基地局が伝送するハンドオーバートリガー条件を表すものである。
【００７３】
【表２−１】
0005291204.tif 000003
【００７４】
【表２−２】
0005291204.tif 000004
上記の表２で、セクション番号は、ＩＥＥＥ  ８０２．１６ｍ標準の技術内容を表す。
【００７５】
本発明の一実施の形態に係るＣＳＧ開放フェムト基地局に進入するトリガー条件は、上記の表２に表すとおり、マクロ基地局から伝送するハンドオーバートリガー条件に、下記の表３に表すような機能を追加して伝送することを提案する。
【００７６】
【表３】
0005291204.tif 000005
上記の表３で、機能０ｘ０及び０ｘ７は、上記の表２で留保（ｒｅｓｅｒｖｅｄ）された値を用いるもので、本実施の形態に係るＣＳＧ開放フェムト基地局へのハンドオーバーのための条件に限定されると仮定する。また、マクロ基地局が伝送する隣接基地局リスト（Ｎｅｉｇｈｂｏｒ  ｌｉｓｔ）に、ＣＳＧ開放フェムト基地局が含まれている状態を仮定する。
【００７７】
上記の表２に表３を追加したトリガー条件を、具体的な例を挙げて説明する。
【００７８】
例１：（タイプ／機能／動作＝０ｘ２／０ｘ０／ハンドオーバー）の場合
ＣＳＧ開放フェムト基地局以外の全ての他の周辺基地局から紛失されたフレームの個数が絶対値よりも大きい時（すなわち、ＣＳＧ開放フェムト基地局以外の他の周辺基地局を発見できない時を含む。）を表す。
【００７９】
例２：（タイプ／機能／動作＝０ｘ０／０ｘ７／ハンドオーバー）の場合
ＣＳＧ開放フェムト基地局以外の全ての他の周辺基地局の測定されたＣＩＮＲ値が絶対値よりも小さい時を表す。
【００８０】
＜第２側面−干渉調整への活用＞
以下では、本発明の第２側面として、マクロセルに連結されている端末がフェムトセル領域を用いている時に、干渉調整（Ｉｎｔｅｒｆｅｒｅｎｃｅ  ｍｉｔｉｇａｔｉｏｎ）のための目的として、セルタイプ変更を行う場合について説明する。以下の説明において、“セル（ｃｅｌｌ）”は、基地局などによりカバーされるカバレッジ領域の意味として使用することもでき、このカバレッジ領域にサービスを提供する主体としても使用することができる。。
【００８１】
マクロセルは、端末が、近接しているフェムトセルから干渉を受けることを防止するために、固定的に（常にフェムトセルの一定フレームを留保（ｒｅｓｅｒｖｅ）する方式）または動的に（端末の要請によってフェムトセルの一定フレームを留保する方式）、フェムトセルにフレームを留保させることができる。この場合、端末は、測定された干渉レベルをマクロセルに報告することができる。これに基づいてマクロセルとフェムトセルとの間にシグナリングを行い、フェムトセルのリソースを、干渉防止のために、ヌリング（ｎｕｌｌｉｎｇ）を通じて留保することができる。
【００８２】
もし、フェムトセルのリソースに余裕があり、非メンバーユーザに接続を許諾するＣＳＧ開放状態にタイプを変え、該当の識別情報を放送すると、この放送を受信した端末はフェムトセルにハンドオーバーをし、それ以上フェムトセルが該当のフレームを留保しなくてすむ（動的フレーム留保の場合）。
【００８３】
または、ＣＳＧ開放状態がマクロセルに伝達されると、該マクロセルは、端末をハンドオーバーさせるために、端末にスキャン命令を与えることができる。この場合、該当のスキャン命令メッセージは、スキャンするフェムトセルのプリアンブル、基地局ＩＤのような情報を含むことができる。これは、従来イントラＦＡ（ｉｎｔｒａ  ＦＡ）スキャニングではマクロ基地局がスキャン命令を別に伝送せず、スキャンインターバルの割当及びプリアンブル、ＢＳ  ＩＤ情報の提供を行わない点と対比される。
【００８４】
本実施の形態によって、マクロサービング基地局が放送する隣接基地局リストには、フェムト基地局リストが含まれないことがあり、よって、スキャニングメッセージを通じて、端末がスキャンするフェムトセル情報を提供することによって、ＭＳがフェムトセルスキャニングをより效率的に行えるようにする。
【００８５】
また、スキャン期間（ｓｃａｎ  ｄｕｒａｔｉｏｎ）＝０であるとともに、スキャンのための情報を与える場合には、端末がスキャン結果をマクロセルに報告するようにすることができる。これは、従来基地局では、非要請スキャニング応答メッセージを通じて端末にスキャニング結果を報告するよう要請できるが、この時、スキャニング応答メッセージにはスキャンする基地局の情報を別に含めないという点と対比される。スキャン結果を受けたマクロセルは、この情報に基づいて端末に該当のフェムトセルへのハンドオーバーを命令することができる。また、マクロセルはフェムトセルに該当の端末のためのフレーム留保を解除するように命令することができる。
【００８６】
上記の実施の形態に係る方式を、様々な例を挙げて説明すると、下記の通りである。
【００８７】
実施例１：フェムトＣＳＧタイプ指示子を放送する場合
本実施例では、端末がフェムト基地局タイプ（ＯＳＧ、ＣＳＧ開放、ＣＳＧ閉鎖）に基づいてハンドオーバーまたはネットワーク進入を試みることを仮定する。端末がＣＳＧフェムトセルスキャニングを通じて信号品質を測定した後、端末がＣＳＧフェムトセルの放送制御情報（スーパーフレームヘッダーまたは放送チャネル）を受信することで、該当のフェムトセルにハンドオーバーまたはネットワーク進入を行うことができるか否かが判断できる。本実施例によれば、非メンバー端末がＣＳＧ閉鎖フェムトセルに余計なハンドオーバーまたはネットワーク進入を試みないため、シグナリングオーバーヘッドが増加することを防止することができる。
【００８８】
端末は、周辺のフェムトセルへのハンドオーバーまたはネットワーク（再）進入が可能か否かを判断するために、マクロセルの他、フェムトセルに対するスキャニングも行わなければならず、シグナリングオーバーヘッドが増加することがある。このような端末開始フェムトセルへのハンドオーバーとは別に、フェムトセルＣＳＧタイプが閉鎖から開放に変更する場合、マクロセルによる端末のフェムトセルスキャニング及び基地局開始ハンドオーバーがトリガーされることができる。
【００８９】
実施例２：フェムトＣＳＧタイプ指示子が放送されない場合
本実施例において、端末は、フェムトＣＳＧタイプに関する情報をマクロセルまたはフェムトセルから受信しないと仮定する。端末のフェムトセルへのハンドオーバーまたはネットワーク（再）進入は、マクロセル及びフェムトセルにより制御されればよい。メンバー端末は、自身のＣＳＧフェムトセルに関する情報を保存し、該当のＣＳＧフェムトセルにハンドオーバーまたはネットワーク（再）進入を行うことができる。
【００９０】
メンバー端末が、スキャニングまたはフェムト参照信号を受信した後に、フェムトＣＳＧ閉鎖によりハンドオーバーまたはネットワーク（再）進入を試みる場合、フェムトセルにより接続が制限されることがあり、これは、端末のアップリンクレンジング手順においてフェムトセルのレンジング応答メッセージを通じてなされてよい。
【００９１】
端末は、特定フェムトセルから接続を拒否された場合、再び接続を試みず、フェムトＣＳＧタイプが閉鎖から開放に変更された場合、マクロセルにより端末のフェムトセルスキャニング及び基地局開始ハンドオーバーがトリガーされてよい。
【００９２】
実施例３：干渉調整のためにフェムト基地局のリソースが留保された状況でＣＳＧタイプ指示子が放送される場合
図８は、干渉調整のためにフェムト基地局のリソースが留保された状況において、ＣＳＧフェムト基地局タイプが閉鎖から開放に切り替わり、端末が該当のフェムト基地局にハンドオーバーを行う方式を説明するための図である。
【００９３】
図８に示す実施例において、端末は、マクロ基地局に連結されている状況を想定する。このように、マクロ基地局に連結されている非メンバー端末は、マクロ基地局の他、周辺のＣＳＧ閉鎖フェムト基地局によっても干渉を感じることがある。また、ＣＳＧ閉鎖フェムト基地局は、自身がＣＳＧ閉鎖フェムト基地局であることを示す指示子を放送することができ、これによって、端末は該当のフェムト基地局へのハンドオーバーを試みなくて済む。
【００９４】
このような状況で、端末は、マクロ基地局に、自身に干渉を与えるフェムト基地局を識別するための情報と共に、干渉調整を要請することができ、これに応じて、マクロ基地局は、フェムト基地局の一部フレームを留保して、端末が感じる干渉を一時的に軽減させることができる。
【００９５】
もし、ＣＳＧ閉鎖フェムト基地局のリソースに余裕ができて、セルタイプを変更可能になった時、フェムト基地局は、セルタイプをＣＳＧ開放フェムトに変え、セルタイプ変更を示す信号を放送することができる。このようなフェムト基地局のセルタイプ変更を示す信号をマクロ基地局が受信すると、マクロ基地局は端末にスキャニング命令を伝達し、端末が該当のフェムト基地局をスキャニングして報告するようにすることができる。端末のスキャニング結果を受けたマクロ基地局は、端末にハンドオーバーを命令することができる。一方、本実施例において、端末がフェムト基地局から、フェムト基地局がＣＳＧ開放タイプに変更されたことを示す指示子を受信すると、マクロ基地局を介さずにスキャニングを実施し、該当のフェムト基地局にハンドオーバーを要請することもできる。
【００９６】
実施例４：干渉調整のためのリソースが留保されていない状況でフェムトセルのセルタイプ変更による干渉調整
図９は、本発明の一実施例によって、端末がマクロ基地局に連結されており、フェムト基地局に干渉調整のためのリソースが留保されていない状況においてフェムト基地局のセルタイプ変更を用いた干渉調整方式を説明するための図である。
【００９７】
本実施例において、端末は、マクロ基地局に連結されている端末とする。
【００９８】
オーバーレイマクロ基地局（Ｏｖｅｒｌａｉｄ  ｍａｃｒｏ  ＡＢＳ）に連結されている端末は、マクロ基地局領域内におけるＣＳＧ閉鎖フェムト基地局から深刻な干渉を受けることがある。すなわち、このＣＳＧ閉鎖基地局が当該端末の接続を許容しないＣＳＧ閉鎖フェムト基地局であって、該基地局へのハンドオーバーができない状況において、端末は当該フェムト基地局の周辺にあると深刻な干渉を経験することがある。
【００９９】
この場合、端末は、ＡＡＩ＿ＳＣＮ−ＲＥＰを通じてマクロ基地局にフェムト基地局ＩＤと干渉レベルを伝送することができ、この時、一つ以上のフェムト基地局に関する情報を同時に伝送することもできる。報告される干渉レベルの形態は、スキャニング報告で使用されるマトリック（例えば、ＣＩＮＲ）を用いて伝達することができる。これによって、マクロ基地局は、バックボーンネットワーク（Ｂａｃｋｂｏｎｅ  ｎｅｔｗｏｒｋ）を介してＣＳＧ閉鎖フェムト基地局にＣＳＧ開放フェムトタイプへの変更を勧めることができる。このとき、マクロ基地局がフェムト基地局に、当該要請は干渉調整（ＩＭ）のためのものであることを知らせてもよい。
【０１００】
ＣＳＧ閉鎖フェムト基地局は、ＳＯＮサーバー（Ｓｅｌｆ  Ｏｒｇａｎｉｚａｔｉｏｎ  Ｎｅｔｗｏｒｋ  Ｓｅｒｖｅｒ）あるいはフェムトゲートウェイ（Ｆｅｍｔｏ  ＧＷ）などのネットワークエンティティにセルタイプ変更が可能か否かを確認し、それに対する応答をマクロ基地局に伝達することができる。本実施例では、セルタイプの変更が可能であり、ＣＳＧ閉鎖セルタイプがＣＳＧ開放セルタイプに変更される場合を仮定する。
【０１０１】
この応答を受けたマクロ基地局は、端末に該当のフェムト基地局へのハンドオーバーを命令することができる。あるいは、セルタイプを変更したＣＳＧフェムト基地局は、放送メッセージを通じて直接セルタイプ変更を知らせることができ、この時、この放送メッセージを直接受信した端末は、現在サービング基地局であるマクロ基地局に、ＣＳＧ開放フェムト基地局へのハンドオーバーを要請することもできる。上記の実施例によってハンドオーバーを行った端末は、それ以上干渉を経験しない。
【０１０２】
一方、端末がＣＳＧ開放フェムト基地局と連結状態を維持している途中で、他の基地局へのハンドオーバーを要請する時、すなわち、該当のＣＳＧ開放フェムト基地局から離れたい場合、該ＣＳＧ開放フェムト基地局は再びＳＯＮサーバーあるいはフェムトＧＷにセルタイプ変更を要請し、ＣＳＧ閉鎖フェムト基地局にタイプを戻すことができる。
【０１０３】
実施例５：干渉調整のためのリソースが留保されていない状況においてフェムトセルのセルタイプ変更による干渉調整
図１０は、本発明の一実施例によって、端末はマクロ基地局と連結されておらず、フェムト基地局に干渉調整のためのリソースが留保されていない状況でフェムトセルのセルタイプ変更により干渉調整を行う方法を説明するための図である。
【０１０４】
本実施例において、端末はマクロ基地局と連結されていない端末とする。
【０１０５】
上記の実施例４と同様、オーバーレイマクロ基地局に連結されている端末は、マクロ基地局領域内におけるＣＳＧ閉鎖フェムト基地局から深刻な干渉を受けることがある。すなわち、このＣＳＧ閉鎖フェムト基地局が当該端末の接続を許容しないＣＳＧ閉鎖フェムト基地局であって、ハンドオーバーができない状況下で、端末が当該フェムト基地局の周辺にあると深刻な干渉を経験し、マクロ基地局との通信が途切れることがある。この場合、端末はセル再選択（ｃｅｌｌ  ｒｅｓｅｌｅｃｔｉｏｎ）を試みるためにスキャニングを行い、この時、端末の接続を許容しないＣＳＧ閉鎖フェムト基地局のみ存在することがある。
【０１０６】
本実施例に係る端末は、接続を許容しない基地局であることを認知したにもかかわらず、当該フェムト基地局にＡＡＩ＿ＲＮＧ−ＲＥＱを伝送しながら干渉調整要請（ＩＭ  ｒｅｑｕｅｓｔ）または深刻な干渉指示子（ｓｅｖｅｒｅ  ｉｎｔｅｒｆｅｒｅｎｃｅ  ｉｎｄｉｃａｔｏｒ）を伝送することを提案する。選択的に、端末は、干渉調整要請指示子を伝送しながら、カバレッジ損失（Ｃｏｖｅｒａｇｅ  Ｌｏｓｓ）において定義した再進入手順を行うことができ、この場合、ネックワーク進入手順は、最適化した進入（ｏｐｔｉｍｉｚｅｄ  ｅｎｔｒｙ）方式で行えばよい。端末ＩＤ（例えば、ＡＭＳＩＤあるいはＤＣＲモードで用いられるＡＭＳ  ＩＤ）と端末情報（ＡＭＳ  ｃｏｎｔｅｘｔ）が保存されているネットワークエントリーＩＤ（ｎｅｔｗｏｒｋ  ｅｎｔｉｔｙ  ＩＤ）あるいは端末ＩＤが与えられた最終付加基地局ＩＤ（ｌａｓｔ  ａｔｔａｃｈｅｄ  ＡＢＳ  ＩＤ）が共に伝達されて、端末情報復元に役立つようにすることもできる。
【０１０７】
上記のように、端末から干渉調整要請（ＩＭ  ｒｅｑｕｅｓｔ）または深刻な干渉指示子（ｓｅｖｅｒｅ  ｉｎｔｅｒｆｅｒｅｎｃｅ  ｉｎｄｉｃａｔｏｒ）を受信したＣＳＧ閉鎖フェムト基地局は、自身のセルタイプをＣＳＧ開放基地局に変える作業を行うことができ、これを端末に知らせることができる（例えば、深刻な干渉指示子が‘ＯＮ’された状態のＡＡＩ＿ＲＮＧ−ＲＳＰを利用）。以降、端末は、残りの一般的なネットワーク進入（ＳＢＣ、ＰＫＭ、ＲＥＧ等）を行うことができる。
【０１０８】
上記の各実施の形態及び各実施の形態に係る実施例は、状況に応じて互いに結合して利用することができる。
【０１０９】
以下では、上記のような端末、フェムト基地局、マクロ基地局の通信方式を行うための装置構成について説明する。
【０１１０】
図１１は、本発明の実施の形態に係る端末、フェムト基地局、マクロ基地局の装置構成を簡略に説明するための図である。
【０１１１】
図１１に示す装置５０は、上記の実施の形態で説明した端末、フェムト基地局、またはマクロ基地局でよい。この装置５０がフェムト基地局装置である場合、装置５０のプロセッサ５１は、状況に応じてＣＳＧ開放／閉鎖タイプを変換することを制御し、このようなセルタイプ変更情報をＲＦモジュール５３を通じて伝送することができる。
【０１１２】
装置５０は、プロセッサ５１、メモリー５２、無線周波数ユニット（ＲＦユニット）５３、ディスプレイユニット５４、及びユーザインターフェースユニット５５を含む。無線インターフェースプロトコルのレイヤー（ｌａｙｅｒｓ）は、プロセッサ５１内で具現される。プロセッサ５１は、制御プレーンとユーザプレーンを提供する。各レイヤーの機能は、プロセッサ５１内で具現することができる。プロセッサ５１は、競合解決タイマー（ｃｏｎｔｅｎｔｉｏｎ  ｒｅｓｏｌｕｔｉｏｎ  ｔｉｍｅｒ）を含むことができる。メモリー５２は、プロセッサ５１に接続して、オペレーティングシステム、アプリケーション、及び一般ファイル（ｇｅｎｅｒａｌ  ｆｉｌｅｓ）を格納する。もし、装置５０が端末であれば、ディスプレイユニット５４は、種々の情報をディスプレイし、ＬＣＤ（ｌｉｑｕｉｄ  ｃｒｙｓｔａｌ  ｄｉｓｐｌａｙ）、ＯＬＥＤ（ｏｒｇａｎｉｃ  ｌｉｇｈｔ  ｅｍｉｔｔｉｎｇ  ｄｉｏｄｅ）のような周知の要素を使用することができる。ユーザインターフェースユニット５５は、キーパッド、タッチスクリーンなどのような周知のユーザインターフェースの組み合わせで構成することができる。ＲＦユニット５３は、プロセッサ５１に接続して、無線信号を送受信することができる。このＲＦユニット５３は、伝送モジュールと受信モジュールとに区別してもよい。
【０１１３】
端末とネットワークとの間における無線インターフェースプロトコルのレイヤーは、通信システムでよく知られたＯＳＩ（ｏｐｅｎ  ｓｙｓｔｅｍ  ｉｎｔｅｒｃｏｎｎｅｃｔｉｏｎ）モデルの下位の３層に基づいて第１レイヤー（Ｌ１）、第２レイヤー（Ｌ２）、及び第３レイヤー（Ｌ３）に区別することができる。物理レイヤーまたはＰＨＹレイヤーは、上記第１レイヤーに属し、物理チャネルを通じて情報伝送サービスを提供する。ＲＲＣ（ｒａｄｉｏ  ｒｅｓｏｕｒｃｅ  ｃｏｎｔｒｏｌ）レイヤーは、上記第３レイヤーに属し、ＵＥとネットワークとの間における制御無線リソースを提供する。端末とネットワークとは、ＲＲＣレイヤーを通じてＲＲＣメッセージを交換する。
【０１１４】
本発明による実施例は様々な手段、例えば、ハードウェア、ファームウェア（ｆｉｒｍｗａｒｅ）、ソフトウェアまたはそれらの結合などにより具現することができる。ハードウェアによる具現の場合、本発明の一実施例に係る制御情報送受信方法は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【０１１５】
ファームウェアやソフトウェアによる具現の場合、本発明の一実施例に係る制御情報送受信方法は、以上で説明された機能または動作を行うモジュール、手順、関数などの形態で具現されることができる。ソフトウェアコードは、メモリユニットに記憶されて、プロセッサにより駆動されることができる。メモリユニットは、プロセッサの内部または外部に設けられ、既に公知の様々な手段によりプロセッサとデータを交換することができる。
【０１１６】
本発明は、本発明の特徴を逸脱しない範囲で別の特定の形態に具体化可能であるということは、当業者にとっては自明である。したがって、上記の詳細な説明は、いずれの面においても制限的に解釈してはならず、例示的なものとして考慮しなければならない。本発明の範囲は、添付の請求項の合理的な解釈により決定すべきであり、本発明の等価的範囲内における変更はいずれも本発明の範囲に含まれる。
【０１１７】
特許請求の範囲において明示的な引用関係にない請求項を結合して実施例を構成したり、出願後の補正により新しい請求項として含めたりすることができることは明らかである。
【産業上の利用可能性】
【０１１８】
上記の説明は、ＩＥＥＥ  ８０２．１６系列システムの他、様々な移動通信システムにも適用することができる。
【図１】
0005291204.tif 000006
【図２】
0005291204.tif 000007
【図３】
0005291204.tif 000008
【図４】
0005291204.tif 000009
【図５】
0005291204.tif 000010
【図６】
0005291204.tif 000011
【図７】
0005291204.tif 000012
【図８】
0005291204.tif 000013
【図９】
0005291204.tif 000014
【図１０】
0005291204.tif 000015
【図１１】
0005291204.tif 000016